(57)【特許請求の範囲】
【請求項１】
エレベータの据え付け作業に用いられる移動仮設作業装置の、昇降路内の上部から吊り下げられた駆動用ロープによって吊り下げられた移動仮設作業床と、この移動仮設作業床の下方に位置する本設床とを連結する連結構造であって、
前記移動仮設作業床の下部側面に回動自在に取り付けられ、前記本設床の外枠に鍵爪部分を引っ掛けて、前記本設床を掴み上げるように連結する鍵爪機構を有する連結構造。
【請求項２】
前記鍵爪機構は、前記移動仮設作業床の下部側面に４か所に取り付けられる請求項１に記載の連結構造。
【請求項３】
前記鍵爪機構は、移動仮設作業床と本設床とを連結しない不使用時は、前記移動仮設作業床の下部側面で折り返し、移動仮設作業床の側面に蝶ネジでネジ止めが可能に構成されている請求項１または請求項２に記載の連結構造。
【請求項４】
前記鍵爪機構は、移動仮設作業床と本設床とを連結しない不使用時は、前記移動仮設作業床の下部側面で折り返し、移動仮設作業床の側面にロックピンで固定可能に構成されている請求項１ないし請求項３のいずれか一項に記載の連結構造。
【請求項５】
前記鍵爪機構は、略断面がＬ字形で、その短片側の端部が上方に屈曲している請求項１ないし請求項４のいずれか一項に記載の連結構造。
【請求項６】
エレベータの乗りかごの床、乗りかごの枠、安全装置の一部、駆動用ワインダを共用する本設利用工法で使用される請求項１ないし請求項５のいずれか一項に記載の連結構造。
【請求項７】
前記鍵爪機構は、前記移動仮設作業床の下部側面において少なくとも１８０°回動自在に構成されている請求項１ないし請求項６のいずれか一項に記載の連結構造。
【請求項８】
前記移動仮設作業床は、前記乗りかごの床と、そのかご床の下方を構成する下梁とを備える請求項６記載の連結構造。
【発明の詳細な説明】
【技術分野】
【０００１】
本発明の実施形態は、エレベータの乗りかご床と作業用ゴンドラの連結構造に関する。
【背景技術】
【０００２】
エレベータの建物内への設置に際しては、昇降路内で乗りかご等を組み立てる前に、昇降路内に移動仮設作業床（作業用ゴンドラ）を設置することが行われている。
【０００３】
例えば、昇降路内の頂部付近から駆動用ロープで移動仮設作業床を吊り下げ、駆動用ロープにより移動仮設作業床を昇降駆動させている（例えば、特許文献１参照。）。
【０００４】
また、建物に実際に設置されるエレベータ（以下、本設と略す）の部材と移動仮設作業床とを別個の部材で製作するのは不経済であることから、共用化が図られている。
【０００５】
本設の一部を移動仮設作業床に利用する場合であって、双方の部材の固定が必要な場合には、複雑な構造とならざるをえなかった。
【先行技術文献】
【特許文献】
【０００６】
【特許文献１】特開２０１０−３７０６０号公報
【発明の概要】
【発明が解決しようとする課題】
【０００７】
本発明が解決しようとする課題は、簡素で作業性の良好な本設の床部材と移動仮設作業床（作業用ゴンドラ）との連結構造を提供することである。
【課題を解決するための手段】
【０００８】
実施形態の連結構造は、エレベータの据え付け作業に用いられる移動仮設作業装置の、昇降路内の上部から吊り下げられた駆動用ロープによって吊り下げられた移動仮設作業床と、この移動仮設作業床の下方に位置する本設床とを連結する連結構造であって、前記移動仮設作業床の下部側面に回動自在に取り付けられ、前記本設床の外枠に鍵爪部分を引っ掛けて、前記本設床を掴み上げるように連結する鍵爪機構を有する。
【図面の簡単な説明】
【０００９】
【図１】移動仮設作業装置の一実施形態の概要を示す模式的立面図である。
【図２】本実施形態に係る連結構造を示す略断面図である。
【発明を実施するための形態】
【００１０】
以下、本発明の一実施の形態について、図面を参照して説明する。尚、各図において同一箇所については同一の符号を付すとともに、重複した説明は省略する。
【００１１】
図１は、本発明に係る移動仮設作業装置の一実施形態の概要を示す模式的立面図である。
【００１２】
図１に示すように、昇降路１１内の側壁に沿って２本のガイドレール１３が互いに間隔をあけて上下方向に延びて固定されている。また、昇降路１１内の頂部付近に水平方向に延びる梁状の吊り元１４が設置されている。
【００１３】
吊り元１４には、２本の駆動用ロープ１５が吊り下げられ、これらの駆動用ロープ１５によって、移動仮設作業床１６が吊り下げられている。移動仮設作業床１６は本設の乗りかごのかご床を用いる。移動仮設作業床１６は水平方向に広がっていて、２個の駆動用ワインダ１７が互いに間隔をあけて固定されている。２本の駆動用ロープ１５はそれぞれの駆動用ワインダ１７に巻き付けられ、駆動用ワインダ１７が駆動用ロープ１５を巻き取ることによって移動仮設作業床１６が上昇し、逆に、駆動用ワインダ１７が巻き取った駆動用ロープ１５を繰り出すことによって移動仮設作業床１６が下降するように構成されている。移動仮設作業床１６は、２本のガイドレール１３の間にはさまれるように配置されている。
【００１４】
吊り元１４には、吊り元具１８が吊り下げられ、吊り元具１８には１本の安全装置用ロープ１９が吊り下げられている。安全装置用ロープ１９の上部には緩み部２０が設けられ、安全装置用ロープ１９は緩み部２０の下方で、ロープ掴み具２１の近傍を通過してその下方まで延びている。
【００１５】
移動仮設作業床１６すなわち本設のかご床の上には作業床手摺２５が取り付けられており、この作業床手摺２５と係合するロープ掴み具２１が配置されている。
【００１６】
移動仮設作業床１６の下方には、本設の乗りかごの下梁２８が取り付けられ、下梁２８の下部には安全装置２９が取り付けられている。安全装置２９は、ロープ掴み具２１が引き上げられることによって引き上げられる安全操作腕３０と、安全操作腕３０によって駆動される制動部材３１とを有する。制動部材３１は、ロープ掴み具２１が引き上げられたときに安全操作腕３０によって駆動され、２本のガイドレール13に押し付けられて、移動仮設作業装置１２の落下を止める働きをする。
【００１７】
上記構成の移動仮設作業装置１２において、通常時は、駆動用ワインダ１７によって、駆動用ロープ１５を巻き取ることにより移動仮設作業床１６が上昇し、逆に、駆動用ロープ１５を繰り出すことにより移動仮設作業床１６が下降する。このとき、ロープ掴み具２１は安全装置用ロープ１９を掴んでおらず、安全装置２９は働いていない。
【００１８】
２本の駆動用ロープ１５のうちの１本または２本の破断などによって、移動仮設作業床１６が所定速度を超える速度で急落下した場合は、ロープ掴み具２１が落下速度を検知して安全装置用ロープ１９を掴む。これにより、安全装置用ロープ１９に張力がかかり、安全装置２９の安全操作腕３０が引き上げられて動作し、制動部材３１が２本のガイドレール１３それぞれに押し付けられる。これにより、移動仮設作業床１６の落下を止めることができる。
【００１９】
ロープ掴み具２１の近くを安全装置用ロープ１９が上下方向に延びていて、通常時はロープ掴み具２１と安全装置用ロープ１９は干渉していない。作業床手摺２５に、上下方向に長い長穴（図示しない）が複数個設けられており、ロープ掴み具２１に固定されて軸を水平にした複数のボルト（図示しない）が各長穴を貫通している。この構造により、作業床手摺２５とロープ掴み具２１は、長穴の長さ分だけ上下方向に相対的に摺動可能である。
【００２０】
ロープ掴み具２１は、下降速度が所定の値を超えた場合にそれを検知して安全装置用ロープ１９を掴む機能を有する。
【００２１】
緩み部２０は、安全装置用ロープ１９を所定長さだけコイル状に巻いて緊結具（図示しない）で止めたものである。この緊結具は、安全装置用ロープ１９が所定の引っ張り強さを超す強さで引っ張られると外れて、コイル状に巻かれた安全装置用ロープ１９が直線的に延びうる。
【００２２】
本実施形態では、本設の床４０と移動仮設作業床１６の一部を共用している。このような、一部部材の共用に際し、従来の本設利用工法では、本設の乗りかごの立枠に作業用の仮設床をボルトで締結固定されることが多い。そのような場合、本設立枠に連結用の穴を予め加工すること、あるいは、本設構造に合わせた仮設床の製作が必要で、複雑な構造となる。
【００２３】
それに対して、本実施形態では、仮設床１６を本設床４０の上に運び込み、仮設床１６の下部側面に鍵爪形の連結機構４１を計４か所に配設する。このように、本設の床４０と移動仮設作業床１６を連結することにより、作業効率の向上が図られる。
【００２４】
図２は、本実施形態に係る連結構造を示す略断面図で、図２（ａ）は、鍵爪機構の不使用時を示す略断面図、図２（ｂ）は、鍵爪機構の折り返し途上を示す略断面図、図２（ｃ）は、鍵爪機構の使用時を示す略断面図である。鍵爪形の連結機構４１は、略断面がＬ字形で、その短片側の端部が上方に屈曲している。
【００２５】
本設床４０の外枠に鍵爪部分を引っ掛けて、本設床４０を掴みあげるようにする。例えば、鍵爪機構４１には、少なくとも１８０°程度折り返すための蝶ネジ機構４２を設け、鍵爪機構４１を使用しないときには、折り畳んでおくのが好適である。蝶ネジ機構４２以外には、例えば、ロックピン機構であってもよい。
【００２６】
本実施形態では、一部部材を共用するが、例えば、乗りかごの床、乗りかごの枠、安全装置の一部、駆動用ワインダを共用するのが好適である。
【００２７】
本実施形態によれば、簡素で作業性の良好な本設の床部材と移動仮設作業床（作業用ゴンドラ）との連結構造が得られる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１１・・・昇降路
１２・・・移動仮設作業装置
１３・・・ガイドレール
１４・・・吊り元
１５・・・駆動用ロープ
１６・・・移動仮設作業床
１７・・・駆動用ワインダ
１８・・・吊り元具
１９・・・安全装置用ロープ
２０・・・緩み部
２１・・・ロープ掴み具
２５・・・作業床手摺
２８・・・下梁
２９・・・安全装置
３０・・・安全操作腕
３１・・・制動部材
４０・・・本設床
４１・・・鍵爪機構
４２・・・蝶ネジ機構
【図１】
0005403525.tif 000002
【図２】
0005403525.tif 000003